(57)【特許請求の範囲】
【請求項１】
便器のリムに取り付けられる薬液供給装置であって、
薬液を収容し、当該薬液の排出口を有する薬液容器と、
前記排出口に接続され、前記薬液容器内の薬液を外部へと導く薬液排出機構と、
前記薬液排出機構から排出された薬液を、便器内を流れる流水と接触可能に支持する支持部材と、
前記薬液容器、薬剤排出機構、及び前記支持部材を便器のリムに吊り掛けるための吊掛部材と、を備え、
前記薬液排出機構は、
薬液を排出する流出孔と、
前記流出孔から排出された薬液が供給され、当該薬液排出機構の下面から前記支持部材側に突出するとともに、前記支持部材の面方向に延びる少なくとも一つの突条部と、を備えている薬液供給装置。
【請求項２】
２以上の前記突条部が設けられ、
前記各突条部は、前記流出孔を中心に放射状に延びている、請求項１に記載の薬液供給装置。
【請求項３】
前記突条部は、前記流出孔から離れるにしたがって、前記支持部材に近接するように突出している、請求項１または２に記載の薬液供給装置。
【請求項４】
前記支持部材は、外部を臨む少なくとも一つの貫通孔を備えている、請求項１から３のいずれかに記載の薬液供給装置。
【請求項５】
前記貫通孔は、前記流出孔と対向する位置またはその近傍に形成され、
前記突条部は、前記貫通孔を横断するように延びている、請求項４に記載の薬液供給装置。
【請求項６】
前記貫通孔は、前記支持部材において、前記突条部と対向する位置に形成されており、
前記突条部は、当該貫通孔の上方を横断し、当該貫通孔の周縁よりも外方へ延びている、請求項４または５に記載の薬液供給装置。
【請求項７】
複数の前記貫通孔が形成されており、当該貫通孔は、前記流出孔を挟んで、リム側とそれとは反対側とに少なくとも一つずつ配置されている、請求項４に記載の薬液供給装置。
【請求項８】
前記貫通孔は、前記流出孔を挟んでリムとは反対側の領域に配置されている、請求項４に記載の薬液供給装置。
【発明の詳細な説明】
【技術分野】
【０００１】
本発明は、便器のリムに取り付けられ、便器を洗浄する薬液を供給する薬液供給装置に関する。
【背景技術】
【０００２】
便器を洗浄したり、芳香効果を得るための薬液供給装置は、取付対象となる便器のタイプによって種々のものが提案されている。例えば、貯水タンクを有するタイプに対しては、タンク上部の手洗い部に配置される薬液供給装置が提案されており、この装置は、手洗い部に供給される水とともに、貯水タンク内に薬液を供給するように構成されている。
【０００３】
一方、タンク上部に手洗い部がないものや、貯水タンク自体を設けないタイプの便器も販売されており、これに対しては、便器のリムに直接取り付ける薬液供給装置が提案されている。例えば、特許文献１に記載の薬液供給装置は、便器のリムに吊り掛けられるように薬液ボトルを設け、その下方に薬液を受けるプレートを取り付けている。そして、薬液ボトルからプレート上に供給される薬液を流水によってさらうことで、便器の内壁面に薬液を供給している。これによって、便器が洗浄されるとともに、薬液に含まれる芳香剤により、芳香効果も得ることができる。
【特許文献１】特表２００３−５１７１２４号公報
【発明の開示】
【発明が解決しようとする課題】
【０００４】
ところで、上記薬液供給装置は、薬液容器から排出された薬液が排出孔を介して直接プレート上へ流れ落ちるように構成されており、プレート上に形成された溝に沿って薬液が広がるようになっている。しかしながら、便器の洗浄に用いられる薬液は、一般的に粘度が高いため、粘度に合わせて溝を設計する必要がある。したがって、溝の幅、深さ、形状を使用する薬液に合わせて最適化しなければ、薬液が流れにくくなり、プレート上に行き渡りにくくなるおそれがある。このように、溝の設計は容易ではなく、このタイプの薬液供給装置を作製する上で問題となっていた。
【０００５】
本発明は、上記問題を解決するためになされたものであり、簡単な構造で、薬液を分散させることが可能な薬液供給装置を提供することを目的とする。
【課題を解決するための手段】
【０００６】
本発明は、便器のリムに取り付けられる薬液供給装置であって、上記問題を解決するためになされたものであり、薬液を収容し、当該薬液の排出口を有する薬液容器と、前記排出口に接続され、前記薬液容器内の薬液を外部へと導く薬液排出機構と、前記薬液排出機構から排出された薬液を、便器内を流れる流水と接触可能に支持する支持部材と、前記薬液容器、薬剤排出機構、及び前記支持部材を便器のリムに吊り掛けるための吊掛部材と、を備え、前記薬液排出機構は、薬液を排出する流出孔と、前記流出孔から排出された薬液が供給され、前記支持部材側に突出するとともに、前記支持部材の面方向に延びる少なくとも一つの突条部と、を備えている。
【０００７】
この構成によれば、流出孔から排出された薬液が、支持部材の面方向へ延びる少なくとも一つの突条部に供給されるように構成されているため、薬液は突条部を伝って、支持部材の面方向に広がっていく。したがって、従来例のように、溝の幅や深さを精密に設計する必要がなく、突条部を配置するだけで、薬液の経路を形成することができるため、簡易な構造で薬液を確実に広範囲に行き渡らせることができる。また、薬液を流すために、基部には適切な傾斜を設けることが好ましいところ、このような傾斜を設けるには、装置全体の設計を考慮しなければならないが、本発明のように、突条部によって薬液を流すようにすれば、例えば、突条部だけに傾斜を設けることができ、こうすることで、簡易に薬液の流れを形成することができる。その結果、設計が簡易になる。
【０００８】
さらに、従来例のように、流出孔から基部に薬剤を落下させた後に、基部に形成された溝によって薬液を広げる構成では、薬液の粘度にもよるが、基部と流出孔との間の空間をある程度広げなければ、薬液が停滞し流れにくくなる可能性がある。したがって、設計上の制約があり、装置が大型化するおそれがある。これに対して、本発明のように流出孔から排出された薬液が突条部を伝わせるようにすれば、流出孔と基部との距離に関係なく、薬液を広げることができる。なお、「突条部」とは、支持部材の面方向に延び、板状、棒状等に形成されて、突出する部材をいう。
【０００９】
突条部は種々の構成をとることができるが、例えば、突条部を２つ以上設け、各突条部が、流出孔を中心に放射状に延びるように構成することができる。このように構成すれば、薬液をさらに広範囲に行き渡らせることができる。なお、ここでいう放射状とは、３６０°全ての向きに突条部が延びている必要はなく、その一部、特に、リム側を向く所定の角度に亘って突条部が配置されていればよい。
【００１０】
なお、薬液は、必ずしも支持部材上に供給されなくてもよく、突条部に保持されたままで流水にさらわせることができる。或いは、突条部が、流出孔から離れるにしたがって、支持部材に近接するように突出させることができる。こうすることで、突条部上にある薬液を、支持部材へスムーズに供給することができる。このように薬液を支持部材上へ供給することで、流水とともに、薬液を効率よく便器へ供給することができる。
【００１１】
また、支持部材に、外部を臨む貫通孔を少なくとも一つ形成することができる。この構成によれば、支持部材上に流れ込んだ流水を、貫通孔を介して装置外部へ流出させることができる。したがって、流水の勢いが強い場合でも、流水の一部は、貫通孔を介して外部へ流れ出すため、支持部材上での流水の勢いを分散することができる。その結果、流水が流出孔を介して薬液容器へ進入するのを防止することができる。
【００１２】
このとき、貫通孔を、流出孔と対向する位置またはその近傍に形成するとともに、突条部が、貫通孔を横断するように延びていることが好ましい。こうすることで、流出孔から排出された薬液は、突条部を伝って、貫通孔上を通過するため、直接、貫通孔内に供給されるのを防止することができ、リム側へ薬液を運ぶことができる。
【００１３】
また、貫通孔は、流出孔の直下に配置されていなくてもよく、突条部と対向するいずれの位置に形成されていてもよい。そして、この場合、突条部は、貫通孔の上方を横断し、その周縁よりも外方へ延びていることが好ましい。
【００１４】
また、貫通孔は、種々の配置が可能であり、例えば、流出孔を挟んで、リム側とそれとは反対側とに少なくとも一つずつ配置することができる。
【００１５】
或いは、流出孔を挟んでリムとは反対側の領域に配置することもできる。
【００１６】
本発明は、便器のリムに取り付けられる薬液供給装置であって、薬液を収容し、当該薬液の排出口を有する薬液容器と、前記排出口に接続され、前記薬液容器内の薬液を外部へと導く薬液排出機構と、前記薬液排出機構から排出された薬液を、便器内を流れる流水と接触可能に支持する支持部材と、前記薬液容器、薬剤排出機構、及び前記支持部材を便器のリムに吊り掛けるための吊掛部材と、を備え、前記支持部材は、外部を臨む少なくとも一つの貫通孔を備えており、前記薬液排出機構は、薬液を排出する流出孔と、前記流出孔から排出された薬液が供給され、前記支持部材側に突出する少なくとも一つの突出部と、を備え、前記突出部の少なくとも一部は、前記支持部材において前記貫通孔が形成されていない領域と対向する位置に配置されている。
【００１７】
この構成によれば、支持部材に貫通孔が形成されているため、支持部材上に流れ込んだ流水は、この貫通孔を介して装置外部へ流れ出す。したがって、流水の勢いが強い場合でも、流水の一部は、貫通孔を介して外部へ流れ出すため、支持部材上での流水の勢いを分散することができる。その結果、流水が流出孔を介して薬液容器へ進入するのを防止することができる。なお、薬液排出機構から支持部材側へ突出する突出部は、少なくとも一部が、貫通孔が形成されていない領域と対向する位置にある。したがって、突出部を介して支持部材側に落下する薬液は、貫通孔からすべて外部へ流れることはなく、支持部材上に供給される。これにより、流水によって薬液を確実にさらうことができる。
【００１８】
突出部は、そのすべてを貫通孔が形成されていない領域上に配置することもできるし、或いは、一部を貫通孔上に配置することもできる。一部を貫通孔上に配置する場合、つまり、支持部材において、突出部と対向する位置に少なくとも一つの貫通孔を形成する場合には、突出部が、貫通孔の上方を横断し、その貫通孔の周縁よりも外方へ延びるように配置することができる。
【００１９】
ここで、突出部の一部が貫通孔上にある場合には、次のような利点がある。すなわち、薬液が支持部材上に供給されても長時間流水がなければ、薬液が支持部材上で固まるおそれがある。この場合、上記のように、突出部の一部が貫通孔上にあると、この貫通孔を介して薬液を支持部材の外部に流出させることができる。その結果、薬液が支持部材上に溜まって固まるのを防止することができる。
【００２０】
貫通孔は、種々の配置の仕方がある。例えば、複数の貫通孔を形成した場合、各貫通孔を、突出部を挟んで、リム側とそれとは反対側とに少なくとも一つずつ配置することができる。或いは、突出部を挟んでリムとは反対側の領域に配置することもできる。このようなリムから離れた側の貫通孔は、例えば、支持部材がリムから離れるにしたがって下方へ傾斜するようにリムに取り付けられた場合に、薬液をこの貫通孔から外部へ排出することができ、装置内に溜まるのを防止することができる。
【００２１】
突出部も種々の態様にすることができ、流出孔の近傍にのみ配置したり、或いは、支持部材の面方向に延びるように配置することができる。特に、突出部を複数設け、支持部材の面方向に放射状に延びるようにすると、薬液が突出部を伝うため、支持部材上の広範囲に薬液を供給することができる。
【発明の効果】
【００２２】
本発明に係る薬液供給装置によれば、薬液を効率よく分散させることが可能となる。
【発明を実施するための最良の形態】
【００２３】
（第１実施形態）
以下、本発明に係る薬液供給装置の第１実施形態について図面を参照しつつ説明する。図１は本実施形態に係る薬液供給装置の斜視図、図２は図１の断面図、図３は図２のＡ−Ａ線における図１の断面図、図４は図１の平面図、図５は図１の分解斜視図である。
【００２４】
この薬液供給装置は、便器のリムに吊り掛けて使用されるものであり、図１〜図５に示すように、薬液が収容された薬液容器１と、これを下方から支持する装置本体２と、装置をリムに吊り掛けるための吊掛部材３とを有している。また、装置本体２の内部には、薬液容器１から流れ出た薬液を装置本体２の底面へと供給する薬液排出機構４が配置されている。以下、上述した各部材をさらに詳細に説明する。
【００２５】
図５に示すように、薬液容器１は、透明のドーム状に形成され、下面に排出口１１を有している。そして、この排出口１１には、キャップ１３が取り付けられている。このキャップ１３は、環状の本体部１３１と、その中央の穴を塞ぐ薄膜部１３２とで構成されており、使用に際しては、薄膜部１３２を破断させて薬液を排出させる。
【００２６】
図４及び図５に示すように、装置本体２は、底面を構成する支持プレート（支持部材）２１と、その周囲を囲む壁体２２とを有している。支持プレート２１は、平面視略矩形状の基部２１１と、その一辺に揺動自在に連結された可動部２１２とで構成されており、可動部２１２が設けられている辺以外の３辺に、上述した壁体２２がコ字状に設けられている。したがって、装置本体２は、一辺の壁が切り欠かれて開放するカップ状に形成されており、この開放部分２３から基部２１１の一部及び可動部２１２が突出するように構成されている。そして、後述するように、この開放部分２３から装置本体２内に流水が流れ込むようになっている。
【００２７】
また、基部２１１の中央には、上方へ延びる支柱２４が取り付けられており、この支柱２４と後述するカバー部材４１１との間の空間に、吊掛部材３が上下動可能に取り付けられている。吊掛部材３は、弾性変形可能に２箇所で折り曲げられた帯状に形成されており、初期状態では、図１のように折り畳まれている。また、吊掛部材３は、上下動可能に構成されているため、装置とリムとが干渉しないように、リムに対する薬液容器１及び装置本体２の高さを調整することができる。
【００２８】
次に、支持プレート２１についてさらに詳細に説明する。図２に示すように、本実施形態の支持プレート２１においては、基部２１１と可動部２１２とが樹脂などで一体的に形成されており、基部２１１が可動部２１２側に向かって約６度で下方に傾斜している。これにより、後述するように、排出された薬液がリム側へ流れやすいようにしている。基部２１１の傾斜角度αは、これ以外に設定することも可能であり、例えば、０〜４５度にすることができ、３〜３０度であることが好ましい。
【００２９】
そして、支持プレート２１の裏面には、基部２１１と可動部２１２との境界線に沿って溝２１３が形成されている。したがって、この溝２１３によって基部２１１と可動部２１２との境界が薄膜状になるため、可動部２１２が基部２１１に対して揺動可能となっている。また、溝２１３は支持プレート２１の裏面に形成されているため、可動部２１２を下方に傾斜させようとすると、溝２１３において対向する側壁面同士が当接し、これによって下方への傾斜が規制される（図２（ａ））。一方、上方への傾斜も可能であり、力を付与すれば、可動部２１２を上方へ揺動させることができる。但し、上方への傾斜も次のように規制されている。図１及び図２に示すように、基部２１１の両側には、略矩形状の側板２１４が取り付けられており、この側板２１４において、可動部２１２側を向く垂直に延びる端面が、可動部２１２と当接可能となっている。すなわち、可動部２１２を、傾斜角βが９０度以上に傾斜させようとすると、側板２１４の端面と可動部２１２とが接触し、可動部２１２がそれ以上傾斜しないようになっている（図２（ｂ））。なお、初期状態では、可動部２１２は基部２１１に対して、約３０°の傾斜角度βで上方に傾斜しており、この状態から境界部分の弾性変形によって、基部２１１に対し約０〜９０°程度の範囲で傾斜が可能となっている。以上のように構成された装置本体２には、基部２１１の周縁、壁体２２に複数の流水孔２５が形成されており、開放部分２３から流入した流水がこれら流水孔２５を介して、装置本体２から排出されるようになっている（図１及び図５参照）。
【００３０】
続いて、薬液排出機構４について説明する。図２〜図５に示すように、薬液排出機構４は、薬液容器１と支持プレート２１との間に配置されており、上側に配置される上部材４１と、下側に配置される下部材４２とで構成されている。上部材４１は、平面視楕円型の筒状に形成されており、下方が開放している。一方、下部材４２は、平面視楕円状の板状部４２１と、その周囲に上下方向に延びるように形成された低い壁部材４２３とで構成されており、上部材４１の下部開口を塞ぐように配置される。そして、上部材４１と下部材４２とが組み合わされることで、両者の間には、薬液を保持する緩衝空間４３が形成される。以下、上部材４１及び下部材４２についてさらに詳細に説明する。
【００３１】
図２及び図５に示すように、上部材４１の側面には、上方に延びるレール状のカバー部材４１１が取り付けられており、このカバー部材４１１は、上述した通り、支柱２４に当接し、吊掛部材３を収容する空間を形成する。また、上部材４１の上面中央部には、先端が斜めに切りかかれて鋭利な円筒状の連通管４１２が設けられるとともに、上面の端部には合計４つの空気流通孔４１３が形成されている。連通管４１２は、上述した薬液容器１のキャップ１３に突き刺され、薄膜部１３２を破断させる役割を果たす。また、連通管４１２の周縁には、環状の溝４１７が形成されており、この溝４１７にキャップ１３の本体部１３１が嵌るようになっている。一方、図２に示すように、連通管４１２の内部底面には、下部材４２側へ延びる円筒状の固定管４１４と、その近傍に配置された複数の薬液連通孔４１５とが形成されている。そして、これら薬液連通孔４１５と、上述した空気流通孔４１３とは、緩衝空間４３と連通している。
【００３２】
続いて、下部材４２について図６及び図７も合わせて説明する。図６は下部材の下面からの見た斜視図（ａ）、平面図（ｂ）、正面図（ｃ）、及び底面図（ｄ）、図７は下部材の一部斜視図（ａ）及びそのＢ−Ｂ線断面図（ｂ）ある。まず、図５に示すように、下部材４２の中央には、上部材４１の固定管４１４に嵌合する円筒状の案内管４２４と、その周囲を囲むように設けられた円形の固定壁４２５とが設けられている。そして、案内管４２４と固定壁４２５との間の隙間には、上述した固定管４１４が嵌るようになっている。案内管４２４の上部開口は、斜めに切り取られた形状となっており、その開口の低い側から案内管４２４の外周面に沿って上下方向に延びる案内溝４２６が形成されている。ここで、図６及び図７に示すように、案内管４２４は固定管４１４の内部に嵌っているため、固定管４１４の内壁面と、案内溝４２６とで薬液の通路（案内路）が形成される。また、案内管４２４と固定壁４２５との隙間の底面と、固定管４１４の下端部との隙間にも薬液が通過する空間が形成される。より詳細に説明すると、この隙間の底面においては、案内溝４２６の両側の各約９０度が薬液の延長路４２７を構成するとともに、案内溝４２６とは反対側には、約１８０度に亘る半円形の流出孔４２８が形成されている。そして、延長路４２７を通過した薬液が流出孔４２８から支持プレート２１側へ流れ出るようになっている。
【００３３】
図６に示すように、下部材４２における壁部材４２３の下面の両端には、一対の脚部４２９が取り付けられており、この脚部４２９によって下部材４２の下面と、支持プレート２１との間に空間が形成される。この空間が後述するように、薬液及び流水の通路となる。また、下部材４２の下面には、上述した流出孔４２８の両端を結ぶ突片４３１と、この突片４３１の両端から延びる一対の突条部４３２とが形成されている。そして、各突条部４３２は、互いに離間するように、可動部２１２側へ斜め方向に延びるとともに、図６（ｃ）に示すように、先端にいくにしたがって、下部材４２下面からの突出高さが大きくなっている。すなわち、図２に示すように、各突条部４３２は、先端にいくにしたがって、支持プレート２１との隙間が小さくなっていき、最も先端では、支持プレート２１と接触している。
【００３４】
次に、上記のように構成された薬液供給装置の使用方法について図８も参照しつつ説明する。図８は薬液供給装置の取り付け状態を示す側面図である。まず、薬液容器１を上部材４１上に配置する。これにより、薬液容器１のキャップ１３に連通管４１２が突き刺さり、薬液容器１が固定される。続いて、この装置を便器のリムに取り付ける際には、吊掛部材３を、支柱２４から引き出して高さを調整しつつ、図１の状態からコ字状に押し広げる。そして、図８（ａ）に示すように、リムＲを挟むように配置する。このとき、可動部２１２は、便器の内壁面に当接するのであるが、基部２１１に対して揺動可能となっているため、基部２１１と便器内壁面Ｓとの距離に応じて、傾斜する。すなわち、図８（ａ）に示すように基部２１１と便器内壁面Ｓとの距離が小さい場合、可動部２１２は、便器内壁面Ｓに押しつけられながら、大きく傾斜し、便器内壁面Ｓとの隙間を埋める。一方、距離が大きい場合には、図８（ｂ）に示すように、傾斜角βは小さくなるが、いずれの場合でも、基部２１１と便器内壁面Ｓとの隙間は埋められる。その結果、基部２１１に流れ出た薬液を効率よくさらって、便器へ流すことができるため、便器の形状にかかわらず、優れた洗浄効果を得ることができる。
【００３５】
続いて、薬液の流れについて説明する。連通管４１２によりキャップ１３の薄膜部１３２が破断されると、薬液は、薬液容器１から薬液排出機構４へと流れ出て、一部は連通管４１２及び薬液連通孔４１５を介して緩衝空間４３内に流れ込む。一方、残りの薬液は、図６及び図７に示すように、案内溝４２６を通過して下方へ流れた後、延長路４２７及び流出孔４２８を介して下部材４２の下面側に流れ出る。そして、この薬液は、突片４３１及び突条部４３２を伝って、可動部２１２側へ移動し、支持プレート２１と突条部４３２との接触部分において、支持プレート２１上へ移る。
【００３６】
ここで、上述した緩衝空間４３の機能について説明する。この緩衝空間４３は、温度変化によって薬液容器１内に圧力変化が生じた場合の緩衝作用をなす。例えば、温度が上昇して薬液容器１が暖められた場合には、容器１内の空気が膨張し容器１内部は正圧になる。この場合、薬液容器１内の薬液は押し出されて排出されるが、この薬液は案内溝４２６のほか、薬液連通孔４１５を介して緩衝空間４３内にも流れ込むため、薬液が案内溝４２６から過剰に流出されるのが防止される。一方、流水によって冷やされるなどして薬液容器１の温度が低下し、薬液容器１内の空気が収縮して負圧になると、薬液は、空気流通孔４１３を介して空気の圧力が作用している緩衝空間４３から薬液連通孔４１５を介して薬液容器１内に吸い込まれる。その結果、装置本体側に流入してきた水の薬液容器への吸い上げや薬液の排出が制限されるのを防止することができる。このように、緩衝空間４３は、温度変化によって薬液容器１内に圧力変化が生じた場合であっても、ほとんどの薬液が薬液容器１と緩衝空間４３との間で流通するため、容器１内の薬液が過剰に流出したり、或いは流出が制限されるのを防止することができる。
【００３７】
上記のように装置が設置された後、便器内に水が流されると、流された水は、図８に示すように、リムＲの内側から便器内壁面Ｓを伝い、可動部２１２によって基部２１１側へ案内される（矢印Ｘ）。そして、基部２１１と可動部２１２との境界部分に貯まった薬液をさらいつつ、流水孔２５から外部へ流れ出したり、或いは、装置内で壁体２２などにぶつかりながら跳ね返り、開放部分２３から装置の外部へ流れ出す。こうして、薬液は流水とともに、便器内壁面Ｓに供給され、便器の清浄が行われる。なお、支持プレート２１上に流れ込む水が薬液供給機構４を逆流して薬液容器１内に入り込むおそれもあるが、これについては次のように対処される。すなわち、本実施形態に係る装置では、薬液は、案内溝４２６及び延長路４２７を介して支持プレート２１上に流れ出る。特に、延長路４２７は水平に延びているため、突片４３１及び突条部４３２を介して上方に流れた水は、一旦水平に延びる延長路４２７を通過した後、さらに垂直に延びる案内溝４２６を通過しなければ、薬液容器１には到達しない。このように、この装置では、支持プレート２１から薬液容器１に至る垂直方向の経路の中に水平に延びる経路を配置しているので、水の進入を防止することができる。
【００３８】
以上のように、本実施形態によれば、流出孔４２８から排出された薬液が、支持プレート２１の面方向へ延びる突条部４３２に供給されるように構成されているため、薬液は突条部４３２を伝って、支持プレート２１上に広がっていく。したがって、従来例のように、溝の幅や深さを精密に設計する必要がなく、突条部４３２を配置するだけで、薬液の経路を形成することができるため、簡易な構造で、薬液を広範囲に行き渡らせることができる。
【００３９】
ところで、上記実施形態では、装置内に流入した流水は、装置にぶつかり、跳ね返ることで、支持プレート２１の外部へ流水が戻っていく。その過程で、流水が支持プレート２１上の薬液をさらうため、薬液が便器へと流れ出し、洗浄が行われる。これに対して、装置を以下のように構成すると、流水の流れをスムーズにすることができる。以下、この態様に関する、本発明の第２実施形態について説明する。
（第２実施形態）
ここでは、図９及び図１０を参照しつつ、本発明の第２実施形態について説明する。図９は本実施形態における装置の断面図、図１０は図９のＣ−Ｃ線断面図である。本実施形態が、第１実施形態と異なるのは、支持プレートに、貫通孔が形成されている点であり、その他の構成は同一であるので、同一構成には同一符合を付してその説明を省略する。
【００４０】
図９及び図１０に示すように、本実施形態に係る薬液供給装置では、支持プレート２１の基部２１１に、円形の貫通孔２１５が形成されている。この貫通孔２１５は、薬液が排出される流出孔４２８の下方に形成されている。すなわち、貫通孔２１５の上方には、突片４３１及び突条部４３２の一部が配置されている。但し、突条部４３２は、貫通孔２１５を横切り、さらにその周縁から外方に延びるように配置されている。
【００４１】
次に、上記のように構成された薬液供給装置の使用方法について図１１も参照しつつ説明する。図１１は薬液供給装置の取り付け状態を示す側面図である。第１実施形態と同様に、薬液供給装置を便器のリムに設置した後、水を流すと、流された水は、図１１に示すように、リムＲの内側から便器内壁面Ｓを伝い、可動部２１２によって基部２１１側へ案内される（矢印Ｘ）。そして、基部２１１と可動部２１２との境界部分に貯まった薬液をさらいつつ、支持プレート２１に形成された貫通孔２１５を通過し装置の底面から便器へと戻っていく。また、一部の流水は、便器の内壁面側に逆流して戻っていくものもある。こうして、薬液は流水とともに、便器内壁面Ｓに供給され、便器の清浄が行われる。
【００４２】
以上のように本実施形態によれば、支持プレート２１に貫通孔２１５が形成されているため、支持プレート２１上に流れ込んだ流水は、この貫通孔２１５を介して装置外部へ流れ出す。したがって、流水の勢いが強い場合でも、流水の少なくとも一部は、貫通孔２１５を介して外部へ流れ出すため、支持プレート２１上での流水の勢いを分散することができる。その結果、流水が流出孔４２８を介して薬液容器１へ進入するのを防止することができる。また、従来例のように装置内での流水の跳ね返りを利用して薬液を装置外へ供給するのではなく、装置内に入ってきた流水の経路上に貫通孔２１５が形成されているため、流水の流れがスムーズになり、薬液を効率的に装置外部の便器へと供給することができる。
【００４３】
また、薬液が支持プレート２１上に供給されても長時間流水がなければ、薬液が支持プレート２１上で固まるおそれがある。この場合、上記のように、支持プレート上に貫通孔２１５が形成されていると、この貫通孔２１５を介して薬液を外部に排出することも可能となり、支持プレート２１上で固まるのを防止することかできる。特に、支持プレート２１がリム側から下向きに傾斜するように傾いて配置された場合、薬液がリム側に流れなくなるため、上記のような貫通孔２１５を形成しておくと、薬液を便器へ排出することができる。
【００４４】
以上、本発明の実施形態について説明したが、本発明は上記各実施形態に限定されるものではなく、その趣旨を逸脱しない限りにおいて、種々の変更が可能である。
【００４５】
例えば、突条部は、種々の態様にすることができる。例えば、図１２（ａ）に示すように、多数の突条部４３２を設けて、薬剤をより広範囲に供給することができる。また、図１２（ｂ）に示すように、各突条部４３２を分岐させることもできる。さらに、突条部４３２は、直線状のみならず、円弧状などの曲線等にすることもできる。そして、流出孔４２８の形状も上記のような円弧状でなくともよく、矩形状、円形などにすることができる。
【００４６】
また、突片及び貫通孔の形状、位置は種々の態様がある。以下、図１３を参照しつつ説明する。図１３（ａ）は本実施形態に係る態様である。図１３（ｂ）は、突片４３１を直線状に形成し、この突片を挟んでリム側及びそれとは反対側に複数の貫通孔２１５を形成している。図１３（ｃ）は矩形の貫通孔２１５をリムとは反対側に配置している。また、図１３（ｄ）は、図１３（ｂ）の態様に加え、突片４３１の真下に貫通孔２１５を配置している。このように、突片４３１及び貫通孔２１５は種々の構成を採ることができる。
【００４７】
また、薬液容器１、薬液供給機構４の構成は、上記実施形態に限定されるものではなく、流出孔及び突条部を備えており、薬液容器１から支持プレート２１に対して薬液を供給できるものであれば、その他の構成は、特には限定されない。また、支持プレート２１は、必ずしもプレート状に形成していなくてもよく、薬液を受ける面が形成されていればよい。
【図面の簡単な説明】
【００４８】
【図１】本発明に係る薬液供給装置の第１実施形態を示す斜視図である。
【図２】図１の断面図である。
【図３】図２のＡ−Ａ線における図１の断面図である。
【図４】図１の平面図である。
【図５】図１の分解斜視図である。
【図６】下部材の斜視図、平面図、正面図及び底面図である。
【図７】下部材の一部斜視図、及びそのＢ−Ｂ線断面図である。
【図８】図１の薬液供給装置の使用状態を示す側面図である。
【図９】第２実施形態における装置の断面図である。
【図１０】図９のＣ−Ｃ線断面図である。
【図１１】図９の薬液供給装置の取り付け状態を示す側面図である。
【図１２】突条部の他の例を示す平面図である。
【図１３】突片及び貫通孔の他の例を示す平面図である。
【符号の説明】
【００４９】
１    薬液容器
２１    支持プレート
２１５  貫通孔
３    吊掛部材
４    薬液供給機構
４３１  突片（突条部）
４３２  突条部
【図１】
0005164482.tif 000002
【図２】
0005164482.tif 000003
【図３】
0005164482.tif 000004
【図４】
0005164482.tif 000005
【図５】
0005164482.tif 000006
【図６】
0005164482.tif 000007
【図７】
0005164482.tif 000008
【図８】
0005164482.tif 000009
【図９】
0005164482.tif 000010
【図１０】
0005164482.tif 000011
【図１１】
0005164482.tif 000012
【図１２】
0005164482.tif 000013
【図１３】
0005164482.tif 000014